(57)【要約】【課題】  テーブル用部材の上面に吸引口を備えた空気清浄装置において、空気清浄装置の使用者の足元のスペースを確保することができると共に、汚染空気を効率良く吸引し清浄化処理する。【解決手段】  送風機７とこの送風機７で吸引した空気中の塵埃や臭気を空気から分離する捕集器９とを内装する本体部３と、上面が平面状に形成されて前記本体部３に設けられ、平面視したときに、前記本体部３よりも大きな面積を備えているテーブル用部材１１と、前記テーブル用部材１１の上面に設けられ、平面視したときに、少なくとも一部が前記本体部３からはみ出している吸引口１３とを有し、前記送風機７を稼動することによって、前記吸引口１３から空気を吸入し、この吸入した空気を前記捕集器９で清浄化処理し、この清浄化処理した空気を排出するように構成されている。【選択図】図１
2006055367.tif 000002
【特許請求の範囲】
【請求項１】
送風機とこの送風機で吸引した空気中の塵埃や臭気を空気から分離する捕集器とを内装する本体部と；
上面が平面状に形成されて前記本体部に設けられ、平面視したときに、前記本体部よりも大きな面積を備えているテーブル用部材と；
前記テーブル用部材の上面に設けられ、平面視したときに、少なくとも一部が前記本体部からはみ出している吸引口と；
を有し、前記送風機を稼動することによって、前記吸引口から空気を吸入し、この吸入した空気を前記捕集器で清浄化処理し、この清浄化処理した空気を排出するように構成されていることを特徴とする空気清浄装置。
【請求項２】
ローテーブル型の空気清浄装置であって、
送風機とこの送風機で吸引した空気中の塵埃や臭気を空気から分離する捕集器とを内装する本体部と； 
前記本体部の上部に設けられていると共に、前記本体部からオーバーハングしている端縁部を備えた天板と；
前記天板の上面で上方向に開口して設けられ、少なくとも一部が前記端縁部に存在している吸引口と；
を有し、前記送風機を稼動することによって、前記吸引口から空気を吸入し、この吸入した空気を前記捕集器で清浄化処理し、この清浄化処理した空気を排出するように構成されていると共に、人が椅子に座って使用する場合、平面視において、前記人の膝、大腿の少なくともいずれかの部位と前記吸引口の一部とが互いに重なり合うように構成されていることを特徴とする空気清浄装置。
【請求項３】
請求項２に記載の空気清浄装置において、
前記天板の前記端縁部は、前記本体部の一方の側に延出しており、
前記吸引口は、前記端縁部に設けられていることを特徴とする空気清浄装置。
【請求項４】
請求項３に記載の空気清浄装置において、
前記排気空気の一部が、前記本体部の一端部側の側面の広い面積の部位から前記天板の延出方向に向かって排出されるように構成されていることを特徴とする空気清浄装置。
【請求項５】
請求項３または請求項４に記載の空気清浄装置において、
前記本体部の他方の側の端部に設けられた衝立と；
前記衝立に設けられた誘風路と；
を有し、前記送風機によって排出された排気空気のうちの一部の空気を前記誘風路に誘導し、前記衝立上辺の所定の位置で、下降流とすることができるように構成されていることを特徴とする空気清浄装置。
【請求項６】
請求項３〜請求項５のいずれか１項に記載の空気清浄装置において、
前記天板を前記本体部と共に支えるために、前記天板の下部に設けられた天板支持部材と；
前記本体部の下部に設けられたキャスタと；
を有することを特徴とする空気清浄装置。
【発明の詳細な説明】
【技術分野】
【０００１】
本発明は、空気清浄装置に係り、特に、天板の端縁部に空気の吸引口が設けられているものに関する。
【背景技術】
【０００２】
従来、いわゆるローテーブル型空気清浄装置として、図１４（従来のローテーブル型空気清浄装置の概略構成を示す斜視図）に示す構成の空気清浄装置１００が知られている。
【０００３】
前記従来のローテーブル型空気清浄装置１００は、送風機や捕集器が設けられている本体部１０２を備え、この本体部１０２の上部には、天板１０４が設けられている。
【０００４】
また、前記天板１０４の上面には、空気を吸引するための吸引口１０６が設けられている。そして、前記送風機を稼動することによって、前記吸引口１０６から空気（たとえば、たばこの煙で汚染されている空気）を吸引し、前記捕集器で清浄化処理し、この清浄化処理した空気を前記本体部１０２に設けられている排気口１０８から排気するようになっている。
【０００５】
ここで、前記空気清浄装置１００の使用状態について説明する。
【０００６】
図１５は、従来の空気清浄装置１００の使用状態を示す図である。
【０００７】
空気清浄装置１００を使用する際、喫煙者等の使用者は、椅子（図示せず）に座った状態で使用する。この際、天板１０４が本体部１０２からある程度オーバーハングしているので、前記使用者の足元のスペースを確保することができる。すなわち、本体部１０２と使用者の膝とが干渉しにくい状態で空気清浄装置１００を使用することができる。
【０００８】
しかし、前記吸引口１０６が、前記本体部１０２の上に設けられているので、前記使用者と前記吸引口１０６との間の距離Ｌ１０が離れてしまい、効率良く、使用者が発生するタバコの煙等を含む汚染空気を吸引することが困難であるという問題がある。
【０００９】
そこで、たとえば、特許文献１の図１に示すように、天板の側面に吸引口を設けた構成にすることが考えられる。
【特許文献１】特開平７−２１３３５３号公報
【発明の開示】
【発明が解決しようとする課題】
【００１０】
ところで、前記特許文献１に記載のものでは、喫煙者等の空気清浄装置の使用者の足元のスペースを確保することができ、汚染空気をある程度効率良く吸引し清浄化処理することができるが、吸引口がテーブル用部材の端面（側面）に設けられているので、前記テーブル用部材の端面に使用者が接触すると、吸引口が塞がれることになり、効率良く汚染空気を吸引することが困難になるという問題がある。
【００１１】
また、前記従来の空気清浄装置１００において、天板の側面に吸引口を設けると、吸引すべき汚染空気が、前記空気清浄装置から排気されてくる排気空気に誘引されるおそれがあり、効率良く汚染空気を吸引することが困難になるという問題がある。
【００１２】
さらに、前記天板１０４が前記本体部１０２からある程度オーバーハングしているので、前記使用者の足元のスペースを確保する配慮がされているが、前記天板１０４の下には箱形の前記本体部１０２が依然として存在していることにかわりなく、使用者の膝が干渉しにくい状態で空気清浄装置１００を使用することができるとはいえ、喫煙者などの使用者が全く動かないことはありえないため、使用中に足を動かしたりした場合には膝やつま先が前記本体部１０２に接触してしまうことがあり、それに伴う足元空間の不足感を無くすことができないという問題がある。
【００１３】
本発明は、前記問題点に鑑みてなされたものであり、テーブル用部材の上面に吸引口を備えた空気清浄装置において、空気清浄装置の使用者の足元のスペースを確保することができると共に、汚染空気を効率良く吸引し清浄化処理することができる空気清浄装置を提供することを目的とする。
【課題を解決するための手段】
【００１４】
請求項１に記載の発明は、送風機とこの送風機で吸引した空気中の塵埃や臭気を空気から分離する捕集器とを内装する本体部と、上面が平面状に形成されて前記本体部に設けられ、平面視したときに、前記本体部よりも大きな面積を備えているテーブル用部材と、前記テーブル用部材の上面に設けられ、平面視したときに、少なくとも一部が前記本体部からはみ出している吸引口とを有し、前記送風機を稼動することによって、前記吸引口から空気を吸入し、この吸入した空気を前記捕集器で清浄化処理し、この清浄化処理した空気を排出するように構成されている空気清浄装置である。
【００１５】
請求項２に記載の発明は、ローテーブル型の空気清浄装置であって、送風機とこの送風機で吸引した空気中の塵埃や臭気を空気から分離する捕集器とを内装する本体部と、前記本体部の上部に設けられていると共に、前記本体部からオーバーハングしている端縁部を備えた天板と、前記天板の上面で上方向に開口して設けられ、少なくとも一部が前記端縁部に存在している吸引口とを有し、前記送風機を稼動することによって、前記吸引口から空気を吸入し、この吸入した空気を前記捕集器で清浄化処理し、この清浄化処理した空気を排出するように構成されていると共に、人が椅子に座って使用する場合、平面視において、前記人の膝、大腿の少なくともいずれかの部位と前記吸引口の一部とが互いに重なり合うように構成されている空気清浄装置である。
【００１６】
請求項３に記載の発明は、請求項２に記載の空気清浄装置において、前記天板の前記端縁部は、前記本体部の一方の側に延出しており、前記吸引口は、前記端縁部に設けられている空気清浄装置である。
【００１７】
請求項４に記載の発明は、請求項３に記載の空気清浄装置において、前記排気空気の一部が、前記本体部の一端部側の側面の広い面積の部位から前記天板の延出方向に向かって排出されるように構成されている空気清浄装置である。
【００１８】
請求項５に記載の発明は、請求項３または請求項４に記載の空気清浄装置において、前記本体部の他方の側の端部に設けられた衝立と、前記衝立に設けられた誘風路とを有し、前記送風機によって排出された排気空気のうちの一部の空気を前記誘風路に誘導し、前記衝立上辺の所定の位置で、下降流とすることができるように構成されている空気清浄装置である。
【００１９】
請求項６に記載の発明は、請求項３〜請求項５のいずれか１項に記載の空気清浄装置において、前記天板を前記本体部と共に支えるために、前記天板の下部に設けられた天板支持部材と、前記本体部の下部に設けられたキャスタとを有する空気清浄装置である。
【発明の効果】
【００２０】
本発明によれば、テーブル用部材の上面に吸引口を備えた空気清浄装置において、空気清浄装置の使用者の足元のスペースを確保することができると共に、汚染空気を効率良く吸引し清浄化処理することができるという効果を奏する。
【発明を実施するための最良の形態】
【００２１】
［第１の実施形態］
図１は、本発明の第１の実施形態に係る空気清浄装置１の概略構成を示す斜視図であり、図２は、図１におけるＩＩ−ＩＩ断面を示す図である。
【００２２】
空気清浄装置１は、たとえばタバコの煙等の塵埃や臭気が含まれている汚染空気を清浄化処理するローテーブル型の空気清浄装置である。
【００２３】
ローテーブル型の空気清浄装置とは、設置した場合、床と天板上面との間の距離が６５０ｍｍ〜８００ｍｍ程度のものであり、人が椅子に腰掛けて使用するように構成されているものである。
【００２４】
なお、本実施形態では、ローテーブル型の空気清浄装置を例に掲げて説明するが、必ずしも、ローテーブル型の空気清浄装置に限定されるものではなく、カウンターテーブル型の空気清浄装置等の他の形態の空気清浄装置にも、本実施形態に係る空気清浄装置を適用することができる。カウンターテーブル型の空気清浄装置とは、床と天板上面との間の距離が１０００ｍｍ程度であり、人が立った状態で使用するように構成されているものである。
【００２５】
空気清浄装置１は、本体部３を備えており、この本体部３は、外形が長方形状に形成され、下部が開口している。この開口している下部の周縁にはキャスタ５が設けられている。また、前記本体部３には、たとえばシロッコファンで構成された送風機７と、この送風機７で吸引した空気中の塵埃や臭気を空気から分離する捕集器９が内装されている。
【００２６】
前記捕集器９は、静電式集塵方式により清浄化処理を行なうアイオナイザ（荷電部）とコレクタ（集塵部）とによって構成されている。なお、前記捕集器９をフィルタで構成してもよい。
【００２７】
また、前記本体部３の上部には、上面が平面状に形成されたテーブル用部材（たとえば天板）１１が設けられていると共に、前記テーブル用部材１１の下部であって前記テーブル用部材１１の先端部側には、前記テーブル用部材１１を、前記本体部３と共に支えている天板支持部材１２が設けられている。
【００２８】
そして、平面視すると（鉛直方向から眺めると）、前記テーブル用部材１１は、前記本体部３よりも大きな面積を備えている。たとえば、前記テーブル用部材１１は、前記本体部３からオーバーハングしている端縁部１１Ａを備えている。また、前記テーブル用部材１１の前記端縁部１１Ａは、片持ち梁を構成するように、前記本体部３の一方の側に延出している。
【００２９】
前記テーブル用部材１１の上面には、上方向に開口している吸引口１３が設けられている。この吸引口１３は、金網や小さな穴が多数あいている板状の部材で塞がれており、異物が前記本体部３内へ落下することを防いでいる。また、前記吸引口１３は、前記テーブル用部材１１の上面とほぼ同一面内に設けられている。換言すれば、前記金網や前記板状部材は、前記テーブル１１の上面とほぼ同一平面に設けられている。
【００３０】
さらに、前記吸引口１３の総てが、前記端縁部１１Ａの上面に存在している。すなわち、平面視すると、前記吸引口１３の総てが、前記本体部３とは異なるところに存在している。なお、前記吸引口１３の形態を適宜変更してもよい。たとえば図３に点線で示すように、２つの吸引口１３ａ等、複数の吸引口を設けてもよい。
【００３１】
前記テーブル用部材１１の下部には、前記吸引口１３から吸引した空気を前記本体部３内に導くためのダクト１５が設けられている。このダクトによって、前記吸引口１３は、前記送風機７の上流側で前記送風機７に連通していることになる。
【００３２】
前記ダクト１５の、前記テーブル用部材１１の端縁部１１Ａの下部からの下方向への突出量は僅かであるので、端縁部１１Ａの下部には、大きな空間が形成されている。
【００３３】
また、前記テーブル用部材１１の上面には、喫煙者等の空気清浄装置１の使用者の有無に応じて、自動的に空気清浄装置をＯＮ／ＯＦＦするための人感センサ１６が設けられている。
【００３４】
そして、前記人感センサ１６が人を検知すると、前記送風機７を稼動し、前記吸引口１３から空気を吸入し、この吸入した空気を、前記ダクト１５内を通して前記捕集器９に導きこの捕集器９で清浄化処理し、この清浄化処理した空気を前記本体部３の下部から排出するようになっている。
【００３５】
なお、空気清浄装置１では、本体部３の一方の側にテーブル用部材１１が延出し、この延出している端縁部１１Ａに吸引口１３が設けられているが、必ずしもこのように形成されている必要はなく、たとえば、従来の空気清浄装置１００と同じように、端縁部が本体部３の全周方向に延出するように、テーブル用部材を設けてもよい。
【００３６】
また、吸引口１３の総てを前記端縁部に設けないで、吸引口の少なくとも一部が端縁部に存在するように、吸引口を設けてもよい。換言すれば、平面視したときに、前記吸引口１３の少なくとも一部が前記本体部３からはみ出しているように構成してもよい。
【００３７】
次に、空気清浄装置１を人Ｐ１が使用する場合について説明する。
【００３８】
図３は、図１におけるＩＩＩ矢視を示す図であり、空気清浄装置１を使用している人Ｐ１と空気清浄装置１との位置関係を示す平面図である。
【００３９】
図４は、図１におけるＩＶ矢視を示す図であり、空気清浄装置１を使用している人Ｐ１と空気清浄装置１との位置関係を示す側面図である。
【００４０】
人Ｐ１が椅子（図示せず）に座り、前記テーブル用部材１１をテーブルの面板に見立てて前記空気清浄装置１を使用する場合、図３に示すような平面視において、前記人Ｐ１の膝、大腿の少なくともいずれかの部位と前記吸引口１３の一部とが、寸法Ｄや寸法Ｗで示した箇所で互いに重なり合うようになっている。すなわち、前記寸法Ｄが「Ｄ＞０」となり、前記寸法Ｗが「Ｗ＞０」となっている。
【００４１】
また、複数人が横方向に並び椅子に座って使用する場合、平面視において、前記吸引口１３は、前記複数の人の肩幅の合計寸法ＴＬの内側に存在している。このようにすることで、吸引性能を確保することができる。また１人が座っている場合も同様である。
【００４２】
さらに、図４に示すように、ダクト１５の下部に存在する空間に、人Ｐ１が脚を入れることができるようになっている。
【００４３】
このように構成された空気清浄装置１によれば、前記テーブル用部材１１の上面に設けられた吸引口１３が、平面視したときに、本体部３からはみ出しているので、図４に示すように喫煙者等Ｐ１が椅子に座り前記空気清浄装置１を使用する場合に足元のスペースを確保可能な構成にしても、前記吸引口１３と前記人の口元との間の距離Ｌ１を小さく抑えることができ、汚染空気を効率良く吸引し清浄化処理することができる。
【００４４】
すなわち、従来のローテーブル型空気清浄装置１００では、足元空間の不足感を無くすために天板１０４を本体１０２に比較して大きくしていく対処をしていたために、足元空間を確保する代償として距離Ｌ１０が離れてしまい、喫煙者等が発生するタバコの煙などを含む汚染空気を効率良く吸引することが困難であるという空気清浄装置としての致命的な性能問題を解決し、足元空間を十分に確保すると共に、距離Ｌ１を距離Ｌ１０に比べて著しく小さく抑えることができる。要するに、吸引性能と足元空間の確保との両立という従来にない効果を奏するものである。
【００４５】
また、吸引口１３がテーブル用部材１１の端面（側面）ではなく、上面で上方に開口して設けられているので、前記テーブル用部材１１の端面に使用者が接触しても、吸引口が塞がれることなく、効率良く空気を吸引することができ、テーブル用部材１１の上面からのみ空気を吸引するので、吸引すべき汚染空気が、前記空気清浄装置１から排気されてくる排気空気（本体部３の下部側から排気される排気空気）に誘引されるおそれが少なくなり、さらに、テーブル用部材１１の上面には、突出物が存在してないので使いかってがよい。
【００４６】
また、空気清浄装置１によれば、人が椅子に座って使用する場合、平面視において、前記人の膝、大腿の少なくともいずれかの部位と前記吸引口１３の一部とが互いに重なり合うように構成されているので、人の膝や大腿のスペースが確保されると共に、前記人の口元と前記吸引口１３とが近くに存在する状態で前記空気清浄装置１が使用されることになり、効率良くタバコの煙を吸引することができる。
【００４７】
さらに、空気清浄装置１を壁際に設置する場合、本体部３を壁に近づけてまたは壁にくっつけて設置し、本体部３とは反対側の端縁部が壁から離れるように設置すれば、使いやすい形態で、前記空気清浄装置１を設置することができる。また、このように設置した場合、吸引口１３が端縁部１１Ａに設置されるので（壁から離れたところに吸引口１３が設置されるので）、前記空気清浄装置１の使用者の近くに吸引口１３が位置することになり、効率良く空気を吸引することができる。
【００４８】
ところで、図５（捕集器の設置形態の変更例を示す図）に示すように、捕集器９を斜めに設置し、本体部３の長さＷ１を小さくするように構成してもよい。
【００４９】
すなわち、箱状に形成されている捕集器９を、ダクト１５が連通している本体部３の上部で、テーブル用部材１１が延出している側が下方向に位置するように傾けて設け、本体部３の長さ（前記テーブル用部材１１の延出方向の幅）Ｗ１を小さくしてもよい。
【００５０】
また、図６（空気清浄装置１を壁際に設置し、排気空気の排出形態を変更した場合を示す図）に示すように、空気清浄装置１を、本体部３が壁ＷＡにほぼ接するように設置し、さらに、本体部３から排気される排気空気の一部を、前記本体部３の一端部側の側面（下端部およびこの下端部の近傍を除く）の広い面積の部位Ａ１から前記テーブル用部材１１の延出方向に向かって排出するようにしてもよい（詳しくは第２の実施形態で述べる）。
【００５１】
加えて、図７（空気清浄装置１を壁際に設置し、排気空気の排出形態を変更した場合を示す図）に示すように、ダクト１７を設け、このダクト１７内を、前記排気空気の他の一部が通過して排出されるようにしてもよい。
【００５２】
なお、ダクト１７は、前記本体部３の幅方向（図５の紙面に直角な方向）の中間部であって前記本体部３の一端部側（テーブル用部材１１が延出している側）の側面の下部から、前記空気清浄装置１が設置された床面に接触しまたは床面から僅かに離れて、前記テーブル用部材１１の延出方向に（前記テーブル用部材１１とほぼ同じ長さ、または、前記テーブル用部材１１よりも短く）延出している。
【００５３】
［第２の実施形態］
図８は、本発明の第２の実施形態に係る空気清浄装置１ａの概略構成を示す斜視図である。
【００５４】
第２の実施形態に係る空気清浄装置１ａは、衝立１９等を設置してある点が、前記第１の実施形態に係る空気清浄装置１とは異なりその他の点は、空気清浄装置１とほぼ同様に構成されほぼ同様の効果を奏する。
【００５５】
なお、前記第１の実施形態に係る空気清浄装置１と同様に構成されているものには、同じ符号を付してある。
【００５６】
空気清浄装置１ａは、本体部３の端部（前記テーブル用部材１１が延出している側とは反対の側の端部）に衝立１９を備えており、この衝立１９には、人感センサ１６と誘風路２１とが設けられている。
【００５７】
そして、送風機７によって本体部３から排出された排気空気のうちの一部の空気が、前記誘風路２１に誘導され、前記衝立１９の上辺の所定の位置で、吸引口１３へ向かう下降流となるように構成されている。
【００５８】
より詳しく説明すると、衝立１９は、窓（図示せず）を備え、この窓には、見通しを良くし圧迫感を感じることがないようにするために、透明なガラス板や樹脂板が嵌め込まれている。
【００５９】
衝立１９のサイズは任意であるが、たとえば高さは、日本人の平均身長を基にして、喫煙者を衝立１９の反対側の非喫煙空間から遮断する程度の大きさとすればよく、更にいえば、タバコの煙の発生源よりも高い位置まで上辺が到達していることが望ましい。また幅は、高さと同様の考えで、煙の発生源よりも広い位置まで両辺が到達していることが望ましい。
【００６０】
また、衝立１９には、両側辺に沿うフラップ２３と上辺に沿うフラップ２５とが設けられており、これらの各フラップ２３、２５がコーナー部材２７を介して連続し、前記誘風路２１を形成している。
【００６１】
フラップ２３は、図９（ａ）（図８におけるＩＸＡ−ＩＸＢ断面）に示すように、衝立１９の側方に延出する基端部２９と、この基端部２９から円弧状に湾曲して衝立１９に対して垂直方向に延出する垂直部３１と、この垂直部３１から円弧状に屈曲する垂下部３３とを有し、内側（空気清浄装置１ａの本体側；本体部３等が設けられている側）に開口している。
【００６２】
フラップ２３の垂下部３３は、衝立１９と平行になるまで垂下しているが、より好ましくは、図９（ａ）に点線で示すごとく、更に衝立１９と平行に垂下していることが望ましい。なお、フラップ２５も、フラップ２３と同様に形成されている。
【００６３】
また、本体部３の幅方向の側面下部には、図８に示すように、循環用排気口３５が設けられている。なお、図８には、一方の循環用排気口３５しか示されていないが、循環用排気口３５は、本体部３の両側面の下部に設けられている。また、循環用排気口３５は、たとえば、前記本体部３にカバー部材を設置することによって形成されている。
【００６４】
そして、空気清浄装置１ａにおいて、送風機７を駆動すると、吸引口１３から空気を吸い込み、捕集器９により吸い込んだ空気を清浄化処理し、清浄化処理された排気空気（本体部３の下部の開口部から排出される排気空気）の一部が、前記本体部３の幅方向（前記天板の突出方向とほぼ直交する水平方向）の両端部の下部側（循環用排気口３５）から、前記衝立１９の両端部側に向かって、図８に矢印Ｘ１で示すように、斜めに排出されるようになっている。
【００６５】
前記循環用排気口３５から斜め側方に吹き出す排気空気は、前記フラップ２３の基端部２９、垂直部３１および垂下部３３に囲まれた空間であり誘風路２１でもあるフラップ２３の下部側内に入り込んで、誘風路２１を連続して備えたフラップ２３内で上昇流となり、フラップ２３の誘風路２１に沿って、図８に矢印Ｘ２で示すように流れると共に、コーナー部材２７を通って曲がり、フラップ２５の誘風路２１に沿って、矢印Ｘ３で示すように流れる。
【００６６】
ここで、空気清浄装置１ａの本体の両側での条件（循環用排気口３５からの排気量、フラップ２３の寸法、循環用排気口３５からのフラップ２３までの距離等）を同じにしてあれば、フラップ２３、２５の内側に沿って両側から流れてくる排気空気がフラップ２５のほぼ中央部で互いにぶつかり合って下降流になる。
【００６７】
そして、前記下降流は、鉛直下方に流れるのではなく、フラップ２５の形状効果や吸引口１３に近いほど気圧が低圧になっていることによって、吸引口１３に向かって、矢印Ｘ４で示すように流れ、吸引口１３に吸い込まれる。
【００６８】
なお、前記循環用排気口３５の形態を、図８に点線で示すように、本体部３の筐体に直接設けた構成にしてもよい。このように構成された循環用排気口３５ａは、縦長であり、この幅は、フラップ２３の開口幅と同程度になっていると共に、循環用排気口３５ａとフラップ２３の下部開口とが対向している。
【００６９】
また、フラップ２３、２５の形状について、図９（ｃ）に示すように、垂下部が無かったり、図９（ｄ）に示すように、垂下部が短かったりすると、排気空気がフラップ２３、２５の内側（誘引路）に沿って流れるうちに外に必要以上に漏れ出してしまい、フラップ２５の中央で十分な下降流を得ることができなくなる。
【００７０】
したがって、図９（ａ）に示したように、垂下部３３を少なくとも衝立１９と平行になるまで垂下させる必要がある。また、図９（ａ）に示した以外にも、たとえば図９（ｂ）に示すように、衝立１９の側方に延出する基端部２９ａと、この基端部２９ａから垂直に屈曲して衝立１９に対して垂直方向に延出する垂直部３１ａと、この垂直部３１ａから直角に屈曲して衝立１９と平行な垂下部３３ａとを有した「コ」字状にしてもよい。
【００７１】
なお、空気清浄装置１ａにおいて、図８に示すように、フラップ２５の長手方向の途中（たとえば、フラップ２５のほぼ中央部）に、障害部材（障害板）３７を設けてもよい。このように障害板３７を設けることにより、フラップ２３、２５の内側に沿って両側から流れてきた排気空気が、障害板３７にぶつかって、このぶつかった空気のそれぞれが、吸引口１３の方向へ流れる下降流になる。また、前記障害板３７の位置を変更することによって、前記下降流が発生する位置を変えることができる。
【００７２】
また、空気清浄装置１ａにおいて、フラップ２５の途中に、２枚の障害板（互いが適当に離隔している障害板）を設けてもよい。この場合、フラップ２３、２５に沿って内側を流れてきた排気空気は、各障害板にぶつかってそれぞれが下降流になるので、２方向のプッシュ気流（タバコの煙等を吸引口１３に誘引する気流）を発生させることができる。
【００７３】
また、空気清浄装置１ａにおいて、誘風路として筒状のダクトを用いてもよい。
【００７４】
さらに、空気清浄装置１ａでは、図６や図８で示すように、また、第１の実施形態で述べたように、前記排気空気の一部が、前記本体部３の一端部側の側面（下端部およびこの下端部の近傍を除く）の広い面積の部位Ａ１から前記テーブル用部材１１の延出方向に向かって排出されるように構成されている。
【００７５】
より詳しく説明すると、前記本体部３の側面（前記テーブル用部材１１の延出方向の側面）のほぼ全面には矩形状のカバー部材３９が設けられており、このカバー部材３９の面（前記テーブル用部材１１の延出方向の面）の広い面積の部位（下端部およびこの下端部の近傍を除く部位）Ａ１に、空気排気口が設けられている。この空気排気口は、前記カバー部材３９の部位Ａ１に、たとえば細長い小孔を多数設けて構成されている。なお、前記部位Ａ１に設けられた空気排気口から出てくる空気の流速を均一にするために、前記部位Ａ１の内側に、フィルタ等の面板状の抵抗体（空気の流れに対する抵抗体）を設けてもよい。
【００７６】
また、前記カバー部材３９の鉛直方向に延びた各コーナー部には、大きな面取りがされており、この面取りによって形成された面の部位Ａ３には、前記部位Ａ１に設けられた空気排気口と同様な空気排気口が形成されている。
【００７７】
さらに、空気清浄装置１ａでは、図７や図８で示すように、また、第１の実施形態で述べたように、前記排気空気の他の一部が、前記本体部３の幅方向の中間部であって前記本体部３の一端部側の側面の下部から、前記空気清浄装置１ａが設置された床面に接触しまたは床面から僅かに離れて、前記テーブル用部材１１の延出方向に（前記テーブル用部材１１とほぼ同じ長さ、または、前記テーブル用部材１１よりも短く）延出しているダクト１７内を通過し、排出されるように構成されている。このように、ダクト１７を設け、空気を排気することにより、前記部位Ａ１の空気排気口から出てくる空気の流速を一層遅くすることができる。
【００７８】
また、空気清浄装置１ａには、第１の実施形態に係る空気清浄装置１と同様に、本体部３の下部にキャスタ５が設けられているので、空気清浄装置１ａを移動する場合、図１０（空気清浄装置１ａを搬送するときの状態を示す図）に示すように、本体部３の、軽くなっている反対側を僅かに持ち上げて移動することができる。
【００７９】
なお、前記キャスタ５を衝立１９の下部に設けてもよく、前記天板支持部材１２の下部に設けてもよい。また、キャスタを設ける代わりに、前記天板支持部材１２の下部に、テーブル用部材１１の上面の水平を出すためのジャッキを設けてもよい。
【００８０】
また、図１１（衝立１９の下部に設置されるカバーと、空気清浄装置１ａとの関係を示す斜視図）に示すように、衝立１９の下部に、容易に取り外しまた設置可能なカバー（衝立１９に取り付けた場合、衝立１９の下部全体を構成するカバー）４１を設けることにより、移動のために本体部３の反対側を僅かに持ち上げたときに、前記カバー４１を取り外してあれば、衝立１９と床面との干渉を避けることができ、空気清浄装置１ａの移動を容易に行なうことができる。
【００８１】
空気清浄装置１ａによれば、衝立１９やフラップ２３、２５を設けてあることにより、喫煙領域（汚染された空気が存在する空間）と非喫煙領域（汚染された空気が存在しない空間）とを簡易に区別することができる。
【００８２】
そして、排気空気の一部を吸引口１３に戻す循環流を形成することによって、タバコの煙等が非喫煙領域に拡散されることのない高い分煙効果を得ることができる。
【００８３】
この場合、衝立１９を利用して循環流が形成されるので、邪魔になる大型構造物であるダクトを人のほぼ頭上高さに配設するような必要はなく、空気清浄装置１ａにおいては、衝立１９の上辺で下降流が発生する構成にしたので、タバコの煙等を効果的に捕集することができる。
【００８４】
さらに、誘風路２１として、排気空気の一部を流すフラップ２３、２５を用い、空気清浄装置１ａの本体側に開口した形態にすることにより、排気空気の一部をごく僅かに、空気清浄装置１ａの本体側で衝立１９の面に沿うように流すことができ、エアーカーテンのようにタバコの煙をかき乱して拡散させるなどしてタバコの煙を含む空気が逆に非喫煙領域の流出してしまうことがないように、タバコの煙等を効果的に捕集することができる。
【００８５】
また、空気清浄装置１ａによれば、排気空気の他の一部が、前記本体部３の一端部側の側面の広い面積の部位Ａ１から前記テーブル用部材１１の延出方向に向かって排出するようになっているので、排気空気の流速を下げることができ、排気空気によって使用者が感じる違和感（たとえば排気空気の風による寒さ感）を低減しもしくは無くすことができる。
【００８６】
また、テーブル用部材１１の下側で前記テーブル用部材１１の延出方向に向かって排気空気が排出するようになっているので、吸引口１３と排気空気との間にテーブル用部材１１が存在していることになり、前記排気空気によって、前記吸引口１３に吸入されるべき空気が誘引されることを防ぐことができる。
【００８７】
［第３の実施形態］
図１２は、本発明の第３の実施形態に係る空気清浄装置１ｂの概略構成を示す斜視図である。
【００８８】
第３の実施形態に係る空気清浄装置１ｂは、柱状の天板支持部材１２に代えて、板状の天板支持部材４３を設けた点が、前記第２の実施形態に係る空気清浄装置１ａとは異なりその他の点は、前記空気清浄装置１ａとほぼ同様に構成されほぼ同様の効果を奏する。
【００８９】
なお、前記第２の実施形態に係る空気清浄装置１ａと同様に構成されているものには、同じ符号を付してある。
【００９０】
本発明の第３の実施形態に係る空気清浄装置１ｂの天板支持部材４３は、前述したように板状に構成されて設けられている。なお、天板４３は、テーブル用部材１１の延出方向および上下方向に延伸している。
【００９１】
このように天板支持部材４３が設けられていることにより、第２の実施形態に係る空気清浄装置１ａに設けられているようなダクト１７が、本実施形態の空気清浄装置１ｂには設けられていないが、空気清浄装置１ａにおいても、天板支持部材４３の下端部に、前記ダクト１７と同様なダクトを設けてあってもよい。
【００９２】
前記天板支持部材４３が設けられていることによって、本体部３の部位Ａ１から出てきた空気が、整流され、テーブル用部材１１の下側をスムーズに流れる。
【００９３】
なお、図１３（空気清浄装置１ｂの天板支持部材の変形例を示す図）に示すように、前記天板支持部材４３の下部であって前記本体部３側に、切り欠き４５を設ければ、人が使用するときに人のつま先と天板支持部材４３との干渉を避けることができる。
【００９４】
なお、前記第１の実施形態にかかる空気清浄装置１において、天板支持部材１２に代えて、前述したような天板支持部材４３を設けてもよい。
【図面の簡単な説明】
【００９５】
【図１】本発明の第１の実施形態に係る空気清浄装置の概略構成を示す斜視図である。
【図２】図１におけるＩＩ−ＩＩ断面を示す図である。
【図３】図１におけるＩＩＩ矢視を示す図であり、空気清浄装置を使用している人と空気清浄装置との位置関係を示す平面図である。
【図４】図１におけるＩＶ矢視を示す図であり、空気清浄装置を使用している人と空気清浄装置との位置関係を示す側面図である。
【図５】捕集器の設置形態の変更例を示す図である。
【図６】空気清浄装置を壁際に設置し、排気空気の排出形態を変更した場合を示す図である。
【図７】空気清浄装置を壁際に設置し、排気空気の排出形態を変更した場合を示す図である。
【図８】本発明の第２の実施形態に係る空気清浄装置の概略構成を示す斜視図である。
【図９】図８におけるＩＸＡ−ＩＸＢ断面である。
【図１０】空気清浄装置を搬送するときの状態を示す図である。
【図１１】衝立の下部に設置されるカバーと空気清浄装置との関係を示す斜視図である。
【図１２】本発明の第３の実施形態に係る空気清浄装置の概略構成を示す斜視図である。
【図１３】空気清浄装置の天板支持部材の変形例を示す図である。
【図１４】従来のローテーブル型空気清浄装置の概略構成を示す斜視図である。
【図１５】従来の空気清浄装置の使用状態を示す図である。
【符号の説明】
【００９６】
１、１ａ、１ｂ  空気清浄装置
３  本体部
５  キャスタ
７  送風機
９  捕集器
１１  テーブル用部材
１３  吸引口
１９  衝立
２１  誘風路
Ｐ１  人
【図１】
2006055367.tif 000003
【図２】
2006055367.tif 000004
【図３】
2006055367.tif 000005
【図４】
2006055367.tif 000006
【図５】
2006055367.tif 000007
【図６】
2006055367.tif 000008
【図７】
2006055367.tif 000009
【図８】
2006055367.tif 000010
【図９】
2006055367.tif 000011
【図１０】
2006055367.tif 000012
【図１１】
2006055367.tif 000013
【図１２】
2006055367.tif 000014
【図１３】
2006055367.tif 000015
【図１４】
2006055367.tif 000016
【図１５】
2006055367.tif 000017